(57)【要約】【課題】先端に備えた側面露出電極とニードル電極とを任意に選択使用することができ、しかも、不要な方の電極で処置対象外の体内粘膜に焼灼火傷を負わせるおそれのない安全性の高い内視鏡用高周波処置具を提供すること。【解決手段】基側チューブ１の先端に、電気絶縁性の可撓性の先端チューブ３が、導電操作ワイヤ２により回転駆動することができるように接続して設けられ、先端チューブ３の側壁部に側面露出電極４が露出配置されている。そして、導電操作ワイヤ２を軸線方向に進退させるとニードル電極６が先端チューブ３の先端から突没し、側面露出電極４の延長端４′付近とニードル電極６の基部付近とを相対的にスライド自在に係合させる電極係合部１０が設けられ、ニードル電極６が先端チューブ３の先端から突出した状態では導電操作ワイヤ２と側面露出電極４との間を電気的に導通させない。【選択図】      図１
2011083303.tif 000002
【特許請求の範囲】
【請求項１】
導電操作ワイヤが挿通配置された電気絶縁性の可撓性の基側チューブの先端に、電気絶縁性の可撓性の先端チューブが、上記導電操作ワイヤにより回転駆動することができるように軸線周り方向に回転自在に接続して設けられると共に、上記先端チューブの側壁部に間隔をあけて穿設された一対の電極通過側孔間にワイヤ状の側面露出電極が露出配置され、上記側面露出電極の延長部分が上記電極通過側孔を通って上記先端チューブ内に引き込まれて、上記導電操作ワイヤを経由して上記側面露出電極に高周波電流を通電することができるように構成された内視鏡用高周波処置具において、
上記導電操作ワイヤは、上記基側チューブの基端側からの操作で軸線方向に進退駆動及び軸線周り方向に回転駆動できるように設けられ、
上記先端チューブの先端から前方に突没自在なニードル電極が上記導電操作ワイヤに機械的及び電気的に接続されて上記先端チューブの軸線位置に配置され、上記導電操作ワイヤを軸線方向に進退操作することにより上記ニードル電極が上記先端チューブの先端から前方に突没するように構成されると共に、
上記側面露出電極の延長端付近と上記ニードル電極の基部付近とを相対的に軸線方向にスライド自在に係合させる電極係合部が設けられ、
上記電極係合部は、上記ニードル電極の基部に対し固定的に連結されて少なくとも上記基側チューブに対し軸線周り方向に回転自在に且つ上記先端チューブに対し軸線方向にスライド自在に配置されたスライド部材を備え、
上記スライド部材には、上記側面露出電極の延長端が軸線方向にスライド自在に係合するガイド溝が形成されて、上記導電操作ワイヤの軸線周り方向の回転動作が上記側面露出電極を回動させるように伝達されると共に、
上記ニードル電極が上記先端チューブの先端から前方に突出した状態では上記導電操作ワイヤと上記側面露出電極との間を電気的に導通させず、上記ニードル電極が上記先端チューブの先端から前方に突出しない状態では上記導電操作ワイヤと上記側面露出電極との間を電気的に導通させる接点が、上記電極係合部に設けられていることを特徴とする内視鏡用高周波処置具。
【請求項２】
上記ニードル電極が軸線方向に進退自在に内挿されたストッパパイプが上記側面露出電極の基部付近に固着されると共に、上記スライド部材が軸線方向に進退した時に上記ストッパパイプに前方から当接する後退ストッパと後方から当接する前進ストッパとが、互いの間に間隔をあけて上記スライド部材に設けられている請求項１記載の内視鏡用高周波処置具。
【請求項３】
上記接点が、上記ストッパパイプの先端面と上記後退ストッパの後端面とで形成されている請求項２記載の内視鏡用高周波処置具。
【請求項４】
上記ニードル電極に軸線方向に進退自在に被嵌された電気絶縁性の絶縁パイプが上記ストッパパイプと上記前進ストッパとの間に遊装されている請求項２又は３記載の内視鏡用高周波処置具。
【請求項５】
上記導電操作ワイヤが複数の素線を芯線の周りに撚った撚り線で形成され、その芯線が単独で引き出された部分により上記ニードル電極が形成されている請求項１ないし５のいずれかの項に記載の内視鏡用高周波処置具。
【発明の詳細な説明】
【技術分野】
【０００１】
この発明は内視鏡用高周波処置具に関する。
【背景技術】
【０００２】
内視鏡の処置具挿通チャンネルに通されてＥＭＲ（経内視鏡的粘膜切除術）等に用いられる内視鏡用高周波処置具として、これまでに多種多様な処置具が開発されて、数多くの症例に広く有効に用いられている。
【０００３】
そのような内視鏡用高周波処置具として、導電操作ワイヤが挿通配置された電気絶縁性の可撓性の基側チューブの先端に、側面露出電極を備えた電気絶縁性の可撓性の先端チューブが軸線周り方向に回転自在に接続して設けられ、手元側から導電操作ワイヤを軸線周り方向に回転操作することにより、先端チューブを軸線周り方向に回転させて、側面露出電極の向きを任意に制御することができるようにしたものがある（例えば、特許文献１）。
【０００４】
そのような内視鏡用高周波処置具においては、先端チューブの側壁部に間隔をあけて穿設された一対の電極通過側孔間にワイヤ状の側面露出電極が露出配置されて、その側面露出電極の延長部分（ワイヤ）が電極通過側孔を通って先端チューブ内に引き込まれている。その結果、導電操作ワイヤを経由して側面露出電極に高周波電流を通電し、生体組織を焼灼して切開、切除等の処置を行うことができる。
【０００５】
そして、手元側からの操作で先端チューブを軸線周り方向に回転させて側面露出電極の向きを制御することができるので、隆起させた粘膜等を刀で祓うような切開処置を、任意に向きを変えながら（例えば、左から右へ、次は右から左へというように）手際よく行うことができる。
【０００６】
しかし、そのような内視鏡用高周波処置具は、粘膜の表面から線状に切り込むような切開処置を行うのには不向きであり、いわゆるマーキングやプレカット等の処置を行うことはできない。
【０００７】
そのような切開処置には、可撓性シースの先端にいわゆるニードル電極が配置された内視鏡用高周波処置具を用いる必要がある（例えば、特許文献２）。
【先行技術文献】
【特許文献】
【０００８】
【特許文献１】特開２００５−３３４０００
【特許文献２】特開２００２−１５３４８４
【発明の概要】
【発明が解決しようとする課題】
【０００９】
一つの症例においてしばしば、側面露出電極を備えた内視鏡用高周波処置具とニードル電極を備えた内視鏡用高周波処置具とを併用する（例えば交互に使用する）必要が生じる場合がある。
【００１０】
そこで、一つの内視鏡用高周波処置具に側面露出電極とニードル電極とを設ければ、内視鏡の処置具挿通チャンネルに内視鏡用高周波処置具を挿脱し直す必要がないので、大きなメリットがある。
【００１１】
しかし、単純に一つの内視鏡用高周波処置具に側面露出電極とニードル電極とを設けると、不要な方の電極が処置対象外の体内粘膜に接触して健康な粘膜面に焼灼火傷を負わせてしまうおそれがあり、安全性を十分に保てない可能性が生じる。
【００１２】
本発明は、先端に備えた側面露出電極とニードル電極とを任意に選択使用することができ、しかも、不要な方の電極で処置対象外の体内粘膜に焼灼火傷を負わせるおそれのない、安全性の高い内視鏡用高周波処置具を提供することを目的とする。
【課題を解決するための手段】
【００１３】
上記の目的を達成するため、本発明の内視鏡用高周波処置具は、導電操作ワイヤが挿通配置された電気絶縁性の可撓性の基側チューブの先端に、電気絶縁性の可撓性の先端チューブが、導電操作ワイヤにより回転駆動することができるように軸線周り方向に回転自在に接続して設けられると共に、先端チューブの側壁部に間隔をあけて穿設された一対の電極通過側孔間にワイヤ状の側面露出電極が露出配置され、側面露出電極の延長部分が電極通過側孔を通って先端チューブ内に引き込まれて、導電操作ワイヤを経由して側面露出電極に高周波電流を通電することができるように構成された内視鏡用高周波処置具において、導電操作ワイヤは、基側チューブの基端側からの操作で軸線方向に進退駆動及び軸線周り方向に回転駆動できるように設けられ、先端チューブの先端から前方に突没自在なニードル電極が導電操作ワイヤに機械的及び電気的に接続されて先端チューブの軸線位置に配置され、導電操作ワイヤを軸線方向に進退操作することによりニードル電極が先端チューブの先端から前方に突没するように構成されると共に、側面露出電極の延長端付近とニードル電極の基部付近とを相対的に軸線方向にスライド自在に係合させる電極係合部が設けられ、電極係合部は、ニードル電極の基部に対し固定的に連結されて少なくとも基側チューブに対し軸線周り方向に回転自在に且つ先端チューブに対し軸線方向にスライド自在に配置されたスライド部材を備え、スライド部材には、側面露出電極の延長端が軸線方向にスライド自在に係合するガイド溝が形成されて、導電操作ワイヤの軸線周り方向の回転動作が側面露出電極を回動させるように伝達されると共に、ニードル電極が先端チューブの先端から前方に突出した状態では導電操作ワイヤと側面露出電極との間を電気的に導通させず、ニードル電極が先端チューブの先端から前方に突出しない状態では導電操作ワイヤと側面露出電極との間を電気的に導通させる接点が、電極係合部に設けられているものである。
【００１４】
なお、ニードル電極が軸線方向に進退自在に内挿されたストッパパイプが側面露出電極の基部付近に固着されると共に、スライド部材が軸線方向に進退した時にストッパパイプに前方から当接する後退ストッパと後方から当接する前進ストッパとが、互いの間に間隔をあけてスライド部材に設けられていてもよい。
【００１５】
その場合、接点が、ストッパパイプの先端面と後退ストッパの後端面とで形成されていてもよく、ニードル電極に軸線方向に進退自在に被嵌された電気絶縁性の絶縁パイプがストッパパイプと前進ストッパとの間に遊装されていてもよい。
【００１６】
また、導電操作ワイヤが複数の素線を芯線の周りに撚った撚り線で形成され、その芯線が単独で引き出された部分によりニードル電極が形成されていてもよい。
【発明の効果】
【００１７】
本発明によれば、ニードル電極が先端チューブの先端から前方に突出した状態では側面露出電極への高周波電流の通電がなされず、ニードル電極が先端チューブの先端から前方に突出しない状態では側面露出電極に高周波電流が通電されるので、先端に配置された側面露出電極とニードル電極とを任意に選択使用して、不要な方の電極で処置対象外の体内粘膜に焼灼火傷を負わせるおそれなく、安全に内視鏡的高周波処置を行うことができ、シンプルで動作の確実な構造によりそれを実現することができる。
【図面の簡単な説明】
【００１８】
【図１】本発明の第１の実施例に係る内視鏡用高周波処置具において、ニードル電極が先端チューブの先端から前方に突出した状態の先端部分の側面断面図である。
【図２】本発明の第１の実施例に係る内視鏡用高周波処置具の全体構成図である。
【図３】本発明の第１の実施例に係る内視鏡用高周波処置具において、ニードル電極が先端チューブ内に没入した状態の先端部分の側面断面図である。
【図４】本発明の第１の実施例に係る内視鏡用高周波処置具の、図３におけるIV−IV断面図である。
【図５】本発明の第１の実施例に係る内視鏡用高周波処置具の部分分解斜視図である。
【図６】本発明の第２の実施例に係る内視鏡用高周波処置具において、ニードル電極が先端チューブ内に没入した状態の先端部分の側面断面図である。
【図７】本発明の第２の実施例に係る内視鏡用高周波処置具において、ニードル電極が先端チューブの先端から前方に突出した状態の先端部分の側面断面図である。
【図８】本発明の第３の実施例に係る内視鏡用高周波処置具の先端部分の平面部分断面図である。
【図９】本発明の第４の実施例に係る内視鏡用高周波処置具の先端部分の平面図である。
【図１０】本発明の第５の実施例に係る内視鏡用高周波処置具の先端部分の平面図である。
【図１１】本発明の第６の実施例に係る内視鏡用高周波処置具の先端部分の平面図である。
【発明を実施するための形態】
【００１９】
以下、図面を参照して本発明の実施例を説明する。
図２は、本発明の第１の実施例に係る内視鏡用高周波処置具の全体構成を示しており、１は、図示されていない内視鏡の処置具挿通チャンネルに挿脱される基側チューブである。
【００２０】
基側チューブ１は、例えば直径が２ｍｍ程度で長さが１〜２ｍ程度の四フッ化エチレン樹脂チューブ等のような電気絶縁性の可撓性チューブにより形成されている。但し、必ずしもそれに限定されるものではない。
【００２１】
基側チューブ１の軸線位置には、例えばステンレス鋼撚り線等のような可撓性を有する導電操作ワイヤ２が、軸線周り方向に回転自在に且つ軸線方向に進退自在に全長にわたって挿通配置されている。
【００２２】
基側チューブ１に対し軸線周り方向に回転自在に基側チューブ１の先端に接続された先端チューブ３も、四フッ化エチレン樹脂チューブ等のような電気絶縁性の可撓性チューブにより形成されている。先端チューブ３の径は基側チューブ１と同程度であり、その長さは例えば数ｃｍ程度である。
【００２３】
先端チューブ３の側壁部には、先端チューブ３の軸線と平行方向に間隔をあけて穿設された一対の電極通過側孔５，５の間に、例えばステンレス鋼線等からなるワイヤ状の側面露出電極４が露出配置されている。
【００２４】
また、先端チューブ３の先端から前方に突没自在な真っ直ぐな細い棒状のニードル電極６が、先端チューブ３の軸線位置に配置されている。ニードル電極６は、後述するように導電操作ワイヤ２に接続されている。
【００２５】
基側チューブ１の基端に連結された操作部２０には、操作者の第１指を係合させるための第１の指掛け２２が操作部本体２１の基端に設けられている。なお、操作部２０側は先端チューブ３側に比べて尺度を変えて小さく図示されている。
【００２６】
また、操作者の第２指と第３指を係合させるための第２の指掛け２３が操作部本体２１に対して軸線方向に進退自在に配置され、その第２の指掛け２３に導電操作ワイヤ２の基端が連結されている。
【００２７】
その結果、第２の指掛け２３を操作部本体２１に対して軸線方向に進退操作すると、導電操作ワイヤ２が基側チューブ１内で軸線方向に進退して、ニードル電極６を先端チューブ３の先端から突没させることができる。
【００２８】
基側チューブ１の基端部分に対して固定的に取り付けられた保持環３０は、操作部本体２１に軸線周り方向に回転自在に連結されている。したがって、保持環３０を保持して操作部２０全体を軸線周り方向に回転させると、基側チューブ１内で導電操作ワイヤ２が軸線周り方向に回転して、先端側において、先端チューブ３が基側チューブ１に対し軸線周り方向に回転駆動される。
【００２９】
先端チューブ３の外周部には、一対の電極通過側孔５より後側の位置に、その周囲の先端チューブ３と表面色が相違する指標部材７が、先端チューブ３の外周を囲む状態に先端チューブ３に固着されている。
【００３０】
硬質の環状部材からなる指標部材７の、電極通過側孔５から見て裏側にあたる位置には、例えば軸線と平行方向に線状の指標（図示せず）が印されていて、そこが側面露出電極４のちょうど裏面側位置であることを視認することができる。その結果、先端チューブ３が軸線周り方向にどのように回転した状態であっても、側面露出電極４の位置を認識することができる。
【００３１】
操作部２０の第２の指掛け２３には、導電操作ワイヤ２の基端と電気的に導通する高周波電源コード接続端子２４が付設されている。その結果、図示されていない高周波電源コードを高周波電源コード接続端子２４に接続することにより、導電操作ワイヤ２を介して側面露出電極４とニードル電極６とに高周波電流を通電することができる。
【００３２】
但し、側面露出電極４への高周波電流の通電は、後述するようにニードル電極６が先端チューブ３内に没入した状態のときに限られる。図２に示される２５は、基側チューブ１の基端部分を補強するための折れ止めチューブである。
【００３３】
図１は、ニードル電極６が先端チューブ３の先端から突出した状態（図２と同様）における、内視鏡用高周波処置具の先端部分の側面断面図である。また、図３は、ニードル電極６が先端チューブ３の先端内に没入した状態の側面断面図。図４は、図３におけるIV−IV断面図である。
【００３４】
８は、基側チューブ１と先端チューブ３とを軸線周り方向に回転自在に連結するチューブ連結筒体であり、その後側半部は、基側チューブ１の先端内に回転しないようにきつく嵌め込まれている。チューブ連結筒体８は電気絶縁材で形成されている。
【００３５】
一方、チューブ連結筒体８の先側半部は、先端チューブ３に対し軸線周り方向に回転自在であるが軸線方向には移動しないように先端チューブ３の後端内に嵌め込まれている。チューブ連結筒体８の後側半部及び先側半部の外表面には、基側チューブ１と先端チューブ３の内周面に食い込んだ状態になる抜け止め突起が突出形成されている。
【００３６】
例えばステンレス鋼線材からなるニードル電極６は、例えば複数の素線を芯線の周りに撚った撚り線で形成された導電操作ワイヤ２の芯線を、導電操作ワイヤ２の先端側から単独で真っ直ぐに引き出して用いられている。
【００３７】
したがって、ニードル電極６の基部は導電操作ワイヤ２と機械的及び電気的に一体的につながっている。なお、導電操作ワイヤ２とは別部品として設けられたニードル電極６を、導電操作ワイヤ２の先端に機械的及び電気的に接続した構成であってもよい。
【００３８】
先端チューブ３の先端付近には、ワイヤ状の側面露出電極４を外面に露出させるための一対の電極通過側孔５が、先端チューブ３の長手方向に間隔をあけて形成されていて、側面露出電極４が一対の電極通過側孔５の間において先端チューブ３の長手方向に沿う向きに先端チューブ３の外面に露出している。
【００３９】
側面露出電極４の延長部分４′は、一対の電極通過側孔５を通って先端チューブ３内に引き込まれて、先端チューブ３内において二本並んで後方に引き通され、延長部分４′の端部は先端チューブ３の後端内付近に位置している。
【００４０】
基側チューブ１と先端チューブ３との連結部内付近には、側面露出電極４の延長部分４′の端部付近とニードル電極６の基部付近とを相対的に軸線方向にスライド自在に係合させる電極係合部１０が設けられている。
【００４１】
電極係合部１０の主要部材（本体部材）としてスライド部材１１が設けられている。全体として円柱状をなすスライド部材１１には、IV−IV断面を図示する図４に示されるように、中心軸線位置を超える深さのＵ字状のガイド溝１１ａが全長にわたって真っ直ぐに形成されている。
【００４２】
スライド部材１１は例えば耐熱性プラスチック材等のような電気絶縁材で形成されていて、ニードル電極６の基部（及び、導電操作ワイヤ２の先端部）に対して接着剤等で固定的に連結されている。
【００４３】
したがって、スライド部材１１は、導電操作ワイヤ２及びニードル電極６と共に軸線方向に進退し且つ軸線周り方向に回転し、少なくとも基側チューブ１に対して軸線周り方向に回転自在であり、先端チューブ３に対し軸線方向にスライド自在である。
【００４４】
側面露出電極４の延長部分４′の端部付近を分解して図示する図５に示されるように、側面露出電極４の延長部分４′の端部には、ステンレス鋼パイプ材等のような導電材からなるストッパパイプ１２の外周面が、機械的及び電気的に一体につながった状態に固着されている。
【００４５】
その結果、側面露出電極４とストッパパイプ１２とは常に電気的に導通している。ただし、ストッパパイプ１２の外表面は、その先端面１２ａのみが露出していて、他の部分は電気絶縁性のコーティング等で被覆されている。
【００４６】
そのように側面露出電極４の延長部分４′の端部に固着されているストッパパイプ１２は、図１、図３及び図４等に示されるように、スライド部材１１の軸線位置（即ち、先端チューブ３の軸線位置）に真っ直ぐに配置されている。
【００４７】
そして、そのストッパパイプ１２の中を、ニードル電極６が緩く貫通している。したがって、ニードル電極６はストッパパイプ１２内を軸線方向に進退自在であり且つ軸線周り方向に回転自在である。
【００４８】
そのようなストッパパイプ１２が固着された側面露出電極４の延長部分４′の端部は、図４等に示されるように、スライド部材１１に形成されたガイド溝１１ａの外縁付近（即ち、軸線位置以外の場所）の内側に、ガタつきがない程度に緩く真っ直ぐに嵌め込まれた状態に係合している。
【００４９】
したがって、スライド部材１１は側面露出電極４の延長部分４′に対し軸線方向にスライド自在であるが、スライド部材１１が軸線周り方向に回転すると、その動作が、側面露出電極４の延長部分４′をスライド部材１１の軸線周り方向（即ち、先端チューブ３の軸線周り方向）に回動させるように伝達され、それによって、先端チューブ３が軸線周り方向に回転駆動される。
【００５０】
その結果、導電操作ワイヤ２が基端側から軸線周り方向に回転操作されると、それによってニードル電極６とスライド部材１１が軸線周り方向に回転して、先端チューブ３が軸線周り方向に回転駆動され、側面露出電極４の軸線周り方向の向きを任意に制御することができる。
【００５１】
図１と図３に示されるように、ニードル電極６の基部寄りの位置は、常に先端チューブ３の先端から突出することはない。そして、スライド部材１１がニードル電極６と共に軸線方向に進退した時に、ストッパパイプ１２に前方から当接する後退ストッパ１３と後方から当接する前進ストッパ１４が、互いの間に間隔をあけてニードル電極６の基部に被嵌固着（即ち、固定的に連結）されている。
【００５２】
その結果、導電操作ワイヤ２が基端側から先端側に押し込み操作されて、ニードル電極６が前進すると、図１に示されるように、前進ストッパ１４がストッパパイプ１２に当接する位置でニードル電極６のそれ以上の前進が阻止される。
【００５３】
逆に、導電操作ワイヤ２が基端側から牽引操作されて、ニードル電極６が後退すると、図３に示されるように、後退ストッパ１３がストッパパイプ１２に当接する状態（当接点Ｐ）で、ニードル電極６のそれ以上の後退が阻止される。
【００５４】
ステンレス鋼パイプ等からなる後退ストッパ１３と前進ストッパ１４は、共に電気絶縁性のコーティングで被覆されているが、後退ストッパ１３の後端面（図１に示される１３ａ）だけはコーティングされずに導電面になっている。
【００５５】
その結果、図１に示されるように、ニードル電極６が先端チューブ３の先端から前方に突出した状態では、ストッパパイプ１２の先端面１２ａと後退ストッパ１３の後端面１３ａとが離れていることにより、ストッパパイプ１２がニードル電極６と電気的に導通せず、したがって導電操作ワイヤ２と側面露出電極４とが電気的に導通しない。
【００５６】
そして、図３に示されるように、ニードル電極６が先端チューブ３の先端内に最大限に没入した状態では、当接点Ｐにおいて、ストッパパイプ１２の先端面１２ａと後退ストッパ１３の後端面１３ａとが当接することにより、ストッパパイプ１２がニードル電極６と電気的に導通し、その結果、導電操作ワイヤ２と側面露出電極４とが電気的に導通するので、導電操作ワイヤ２を経由して側面露出電極４に高周波電流を通電させることができる。
【００５７】
このようにして、ニードル電極６が先端チューブ３の先端から前方に突出しない状態の時に導電操作ワイヤ２と側面露出電極４とを電気的に導通させる接点が、ストッパパイプ１２の先端面１２ａと後退ストッパ１３の後端面１３ａとで形成されている。
【００５８】
導電操作ワイヤ２が基端側から軸線周り方向に回転操作されると、基側チューブ１に対して先端チューブ３が軸線周り方向に回転して側面露出電極４の向きが変化するが、その場合でも、ストッパパイプ１２の先端面１２ａと後退ストッパ１３の後端面１３ａとの接触により、導電操作ワイヤ２から側面露出電極４に高周波電流を通電させることができる。
【００５９】
このように構成された実施例の内視鏡用高周波処置具においては、図１に示されるように、先端チューブ３の先端からニードル電極６を突出させた状態では、導電操作ワイヤ２を経由してニードル電極６に高周波電流が通電されても、側面露出電極４には高周波電流が流れないので、ニードル電極６による粘膜表面の切開処置やマーキング、プレカット等の処置を安全に行うことができる。
【００６０】
そして、図３に示されるように、ニードル電極６が先端チューブ３の先端内に最大限に引き込まれた状態の時だけ、導電操作ワイヤ２を経由して側面露出電極４への高周波電流の通電が可能になるので、側面露出電極４による粘膜隆起部の切開処置等を安全に行うことができる。
【００６１】
このようにして、先端チューブ３に備えられた側面露出電極４とニードル電極６とを任意に選択使用して、不要な方の電極で処置対象外の体内粘膜に焼灼火傷を負わせるおそれのない安全性の高い高周波処置を行うことができる。
【００６２】
図６と図７は、本発明の第２の実施例に係る内視鏡用高周波処置具の先端部分を示しており、図６はニードル電極６が先端チューブ３内に引き込まれた状態、図７はニードル電極６が先端チューブ３の先端から突出した状態である。
【００６３】
この実施例では、ニードル電極６に軸線方向に進退自在に被嵌された電気絶縁性の絶縁パイプ１５がストッパパイプ１２と前進ストッパ１４との間に遊装されており、その他の部分は前述の第１の実施例と同じである。
【００６４】
このような状態に絶縁パイプ１５を付加することにより、ストッパパイプ１２と前進ストッパ１４との間の電気絶縁性を高めて、ニードル電極６が突出した状態における側面露出電極４の電気絶縁性をより確実にすることができる。
【００６５】
図８は、本発明の第３の実施例を示しており、ワイヤ状の側面露出電極４が、先端チューブ３の周方向に間隔をあけて形成された一対の電極通過側孔５の間に露出配置されたものである。
【００６６】
図９及び図１０は、本発明の第４及び第５の実施例を示しており、ニードル電極６の最先端部６ａに、単純に外径が大きく形成された太径部（図９）又は球状の太径部（図１０）等が設けられて、最先端部６ａの切れ過ぎを防止したものである。
【００６７】
また、図１１は本発明の第６の実施例を示しており、ニードル電極６の最先端部６ａがフック状に形成されたものである。このように、本発明は多様な実施態様をとることができ、実施例として説明した態様以外のものも含まれるものである。
【符号の説明】
【００６８】
１  基側チューブ
２  導電操作ワイヤ
３  先端チューブ
４  側面露出電極
４′  延長部分（延長端）
５  電極通過側孔
６  ニードル電極
１０  電極係合部
１１  スライド部材
１１ａ  ガイド溝
１２  ストッパパイプ
１２ａ  先端面（接点）
１３  後退ストッパ
１３ａ  後端面（接点）
１４  前進ストッパ
１５  絶縁パイプ
２０  操作部
３０  保持環
Ｐ  当接点
【図１】
2011083303.tif 000003
【図２】
2011083303.tif 000004
【図３】
2011083303.tif 000005
【図４】
2011083303.tif 000006
【図５】
2011083303.tif 000007
【図６】
2011083303.tif 000008
【図７】
2011083303.tif 000009
【図８】
2011083303.tif 000010
【図９】
2011083303.tif 000011
【図１０】
2011083303.tif 000012
【図１１】
2011083303.tif 000013